(57)【要約】【課題】発露を防止しながら、広い範囲に空気を送風することのできる空気調和機を提供する。【解決手段】吹出口５から吹出される吹出空気の風向を変える上下風向板８及び左右風向板９と、上下風向板８及び左右風向板９の角度を制御する制御部１０とを備え、冷房運転において、制御部１０は、吹出空気の温度と室温との差、または、室内湿度に応じて、風向板８、９又は吹出口５の周囲への発露を防止するように、風向板８、９の揺動角θ１、θ２を調整する。【選択図】図３
2008215721.tif 000002
【特許請求の範囲】
【請求項１】
吹出口から吹出される吹出空気の風向を変える風向板と、該風向板を駆動する駆動部と、該駆動部を制御して前記風向板の角度を調整する制御部と、風向板又は吹出口周囲の発露状態を検知する発露状態検知手段とを備え、冷房運転において、前記制御部は、前記発露状態検知手段から検知される発露状態に応じて、風向板の揺動角を調整することを特徴とする空気調和機。
【請求項２】
前記発露状態検知手段として、吹出空気の温度を検知する吹出温度検知手段と、室温を検知する室温検知手段とを備え、前記制御部は冷房運転において、吹出空気の温度と室温との差が大きくなる程、風向板の揺動角が小さくなるように駆動部を制御することを特徴とする請求項１に記載の空気調和機。
【請求項３】
前記発露状態検知手段として、室内湿度を検知する湿度検知手段を備え、前記制御部は、冷房運転において、室内湿度が高くなる程、風向板の揺動角が小さくなるように駆動部を制御することを特徴とする請求項１に記載の空気調和機。
【請求項４】
前記風向板は、上下方向に風向を変える上下風向板であることを特徴とする請求項１〜３のいずれかに記載の空気調和機。
【請求項５】
前記風向板は、左右方向に風向を変える左右風向板であることを特徴とする請求項１〜４のいずれかに記載の空気調和機。
【発明の詳細な説明】
【技術分野】
【０００１】
本発明は、空気調和機に関し、より詳細には、風向板の制御に関するものである。
【背景技術】
【０００２】
特許文献１には、温度や湿度等の各種環境に応じて、圧縮機、室内ファン及び風向板の制御をトータル的に判定し、室内空間の快適性を考慮して各制御値を決定する空気調和機が記載されている。
【特許文献１】特開平３−２４１２５７号公報
【発明の開示】
【発明が解決しようとする課題】
【０００３】
しかしながら、冷房運転時において、風向板の揺動角を大きく設定すると、風向板の傾斜角度が大となり、風向板の一面側に吹出空気が集中するため、他面との間で温度差が生じる。この温度差により、風向板に発露が生じてしまう。また、風向板の揺動角を大きく設定すると、吹出口周囲の本体表面が冷風にさらされるため、吹出口周囲にも発露が生じてしまう。
【０００４】
さらにまた、風向板の傾斜角度が大となるほど、風向板の一面側に吹出空気が集中するため、風の流れの無い他面側の表面には、エアコン本体の周囲の湿った空気の溜り場ができる。その空気中の水分が冷やされて、風向板の表面に結露が発生してしまう。よって、エアコン本体周囲の空気の湿度が高い場合に、風向板の揺動角を大きく設定すると、発露が生じやすい。
【０００５】
このような冷房運転時における発露を防止するために、従来は、風向板の揺動角を常に最小限に制限していた。したがって、風向板の動作範囲が制限されるために、室内の広い範囲に吹出空気を送ることができなかった。
【０００６】
そこで、本発明は、発露を防止しながら、広い範囲に空気を送風することのできる空気調和機の提供を目的とする。
【課題を解決するための手段】
【０００７】
上記目的を達成するため、本発明は、吹出口から吹出される吹出空気の風向を変える風向板と、風向板を駆動する駆動部と、駆動部を制御し風向板の角度を調整する制御部と、風向板又は吹出口周囲の発露状態を検知する発露状態検知手段とを備え、冷房運転において、制御部は、発露状態検知手段から検知される発露状態に応じて、風向板の揺動角を調整することを特徴とする空気調和機である。揺動角を調節することにより、発露を防止すると共に、広範囲に空気を送り出すことができる。
【０００８】
発露状態とは、露の発生のしやすさの程度をいう。発露状態が大の場合、すなわち露が発生しやすい状態においては風向板の揺動角を小さくして発露を防止し、また、発露状態が小の場合、すなわち露が発生しにくい状態においては風向板の揺動角を大きくして、広範囲に空気を送り出すように制御すればよい。
【０００９】
発露は、例えば、室温と吹出空気の温度との差、又は室内湿度により左右される。すなわち、室温と吹出空気の温度との差が大きいほど、または湿度が高いほど、露が発生しやすい状態となり、反対に、室温と吹出空気の温度との差が小さいほど、または室内湿度が低いほど、露が発生しにくい状態となる。
【００１０】
具体的には、発露状態検知手段として、吹出空気の温度を検知する吹出温度検知手段と、室温を検知する室温検知手段とを備え、制御部は、吹出空気の温度と室温との差が大きくなる程、風向板の揺動角を小さくするように制御することができる。
【００１１】
また、発露状態検知手段として、室内湿度を検知する湿度検知手段を備え、制御部は、室内湿度が高くなる程、風向板の揺動角を小さくするように制御することができる。
【００１２】
風向板は、上下方向（垂直方向）に風向を変える上下風向板及び／又は左右方向（水平方向）に風向を変える左右風向板とすることができる。
【００１３】
なお、揺動角とは、その時点における風向板の上動限界点から下動限界点までの角度（左動限界点から右動限界点までの角度）のことであり、その範囲内において任意の角度で風向板を自動的に往復動させてもよいし、任意の位置で静止させてもよい。
【発明の効果】
【００１４】
本発明によると、状況に応じて風向板の揺動角を調整することにより、発露を防止すると共に、広範囲に空気を送り出すことができる。
【発明を実施するための最良の形態】
【００１５】
＜第１の実施形態＞
本発明の第１の実施の形態を図１〜図４を用いて説明する。図１は本実施形態のセパレート型空気調和機の室内機を示す断面図、図２は風向板の制御ブロック図、図３は上下風向板の揺動角の変化を示す図であって、（ａ）は揺動角２０°の場合、（ｂ）は揺動角３０°の場合、（ｃ）は揺動角４０°の場合を示す図、図４は左右風向板の揺動角の変化を示す図であって、（ａ）は揺動角５０°の場合、（ｂ）は揺動角７０°の場合、（ｃ）は揺動角１００°の場合を示す図である。
【００１６】
本実施形態における室内機１は、室外に設置されている室外機（図示せず）と接続され、図１及び図２に示すように、ケーシング２の前面開口を開閉自在に支持された前面パネル３が設けられ、ケーシング２の上面に空気の吸込口４が形成され、ケーシング２の前面下部に空気の吹出口５が形成されている。そして、吸込口４から吹出口５に至るケーシング２の内部空気流通路には、２分割された熱交換器６が逆Ｖ字状に配置され、これらの熱交換器６に囲まれて、その吹出口５側にクロスフローファンからなる室内ファン７が内蔵される。また、吹出口５に、上下風向板８及び左右風向板９が軸８ａ、９ａ周りに揺動自在に支持されており、室内ファン７により吸込口４から吸い込まれた空気は熱交換器６を通り、吹き出し口６から左右風向板９と上下風向板８の方向に沿って吹き出される。この左右風向板９と上下風向板８の向きを変化させることにより、室内機１から吹き出す風の向きを上下左右に変更できるようになっている。
【００１７】
上下風向板８と左右風向板９の風向きを制御する制御部１０は、内部にＲＯＭ、ＲＡＭおよびＣＰＵを備えた一般的なマイクロコンピュータから構成されている。そして、図２に示すように、制御部１０の入力側には、発露状態検知手段として、吸込口４に設けられて室内の温度を検知する室温検知温手段１１と、吹出口５に設けられて吹出空気の温度を検知する吹出温度検知手段１２とが接続され、また、出力側に風向板の揺動を駆動するステッピングモータなどの上下風向板駆動部１３及び左右風向板駆動部１４及びが接続される。風向板駆動部１３、１４のモータ軸は、風向板８、９の軸８ａ、９ａに連結され、風向板８、９を回動できるようになっている。なお、室温検知手段１１は、室温を検知できればその設置位置は上記に限定されるものではなく、例えば、遠隔操作装置（リモコン、図示せず）に設けて信号を送信するようにしてもよい。
【００１８】
そして、制御部１０は、冷房運転時に、室温検知手段１１で検知された室内温度と、吹出温度検知手段１２で検知した吹出空気の温度との温度差に基づいて、上下風向板８及び左右風向板９の揺動角θ１、θ２を設定し、揺動を制御する。制御部１０は、温度差が大きくなる程、風向板８、９の揺動角θ１、θ２が小さくなるように制御する。なお、本実施形態においては、揺動角の上動限界点から下動限界点（左動限界点から右動限界点）の位置まで風向板８、９を揺動させるが、揺動角内であればそれよりも小さい範囲で風向板８、９を揺動させるようにしてもよいし、使用者の操作に応じて静止させるようにしてもよい。
【００１９】
より具体的には、室内温度と吹出空気の温度との温度差が大の場合（例えば、一定値（１０℃）以上の場合）は、図３（ａ）及び図４（ａ）に示すように、上下風向板８の揺動角θ１を２０°、左右風向板９の揺動角θ２を５０°として、揺動角が小さくなるように制御する。このように、温度差が大きく結露が生じやすい状況であっても、上下風向板８の揺動角θ１及び左右風向板９の揺動角θ２が小さいため、風向板８、９及び吹出口５の周囲への発露を防止することができる。また、冷房運転開始時において、狭い範囲に集中して送風を行い、冷房効果を与えることができるため、室内にいる使用者はより効果的に清涼感を得ることができる。
【００２０】
また、室内温度と吹出空気の温度との温度差が中の場合（例えば、５℃よりも大きく１０℃よりも小さい場合）は、図３（ｂ）及び図４（ｂ）に示すように、上下風向板８の揺動角θ１を３０°、左右風向板９の揺動角θ２を７０°として、温度差が大の場合よりも揺動角を大きく設定する。
【００２１】
さらにまた、室内温度と吹出空気の温度との温度差が小の場合（例えば、一定値（６℃）以下の場合）は、図３（ｃ）及び図４（ｃ）に示すように、上下風向板８の揺動角θ１を４０°、左右風向板９の揺動角θ２を１００°として、揺動角が大きくなるように制御する。温度差が小さく発露が生じにくい環境であるため、揺動角を大きく設定しても発露は生じずにすむ。また、上下左右方向へより広範囲に冷風を送ることができる。さらにまた、室温が設定温度に達し、低能力で安定すれば、自動的に風向板８、９の揺動角度を広げ、風を拡散することができるので、特におやすみ時の冷気の勢いを抑え快適性の向上につながる。
【００２２】
＜第２の実施形態＞
図５は、第２の実施形態の風向板の制御ブロック図である。図５に示すように、本実施形態においては、制御部１０の入力側には、室温検知温手段１１及び吹出温度検知手段１２に代わり、発露状態検知手段として、吸込口４に設けられて室内の湿度を検知する湿度検知手段１５が接続されたもので、その他の基本的な構成は上記第１の実施形態と同様である。
【００２３】
そこで、各基本的な構成の作用については第１の実施形態と同様であるので、その説明を省略し、本実施形態特有の風向板の制御について簡単に説明する。
【００２４】
制御部１０は、冷房運転時に、湿度検知手段１５で検知した吸込空気の湿度、すなわち室内の湿度に基づいて、上下風向板８及び左右風向板９の揺動角θ１、θ２を設定し、揺動を制御する。制御部１０は、湿度が高くなる程、風向板８、９の揺動角θ１、θ２が小さくなるように制御する。なお、本実施形態においては、揺動角の上動限界点から下動限界点（左動限界点から右動限界点）の位置まで風向板８、９を揺動させるが、揺動角内であればそれよりも小さい範囲で風向板８、９を揺動させるようにしてもよいし、使用者の操作に応じて静止させるようにしてもよい。
【００２５】
より具体的には、湿度が大の場合（例えば、一定値（７０％）以上の場合）は、図３（ａ）及び図４（ａ）に示すように、上下風向板８の揺動角θ１を２０°、左右風向板９の揺動角θ１を５０°として、揺動角が小さくなるように制御する。このように、湿度が高く結露が生じやすい状況であっても、上下風向板８の揺動角θ１及び左右風向板９の揺動角θ２が小さいため、風向板８、９及び吹出口５の周囲への発露を防止することができる。また、冷房運転開始時において、狭い範囲に集中して送風を行い、冷房効果を与えることができるため、室内にいる使用者はより効果的に清涼感を得ることができる。
【００２６】
また、湿度が中の場合（例えば、３０％よりも高く７０％よりも低い場合）は、図３（ｂ）及び図４（ｂ）に示すように、上下風向板８の揺動角θ１を３０°、左右風向板９の揺動角θ２を７０）として、温度差が大の場合よりも揺動角を大きく設定する。
【００２７】
さらにまた、湿度が小の場合（例えば、一定値（３０％）以下の場合）は、図３（ｃ）及び図４（ｃ）に示すように、上下風向板８の揺動角θ１を４０°、左右風向板９の揺動角θ２を１００°として、揺動角が大きくなるように制御する。湿度が低く発露が生じにくい環境であるため、揺動角を大きく設定しても発露は生じずにすむ。また、上下左右方向へより広範囲に冷風を送ることができる。
【００２８】
なお、本発明は、上記実施形態に限定されるものではなく、本発明の範囲内で多くの修正・変更を加えることができるのは勿論である。例えば、第１の実施形態の温度差による制御と、第２の実施形態の湿度による制御の両方を組み合わせて、風向板８、９の揺動角θ１、θ２を制御するようにしてもよい。また、上記実施形態においては、温度差又は湿度により揺動角を３段階に変更したが、２段階であってもよいし、３以上の多段階に細かく設定するようにしてもよい。さらにまた、上記実施形態では、セパレート型の空気調和機の室内機１に適用したが、本発明は、一体型空気調和機に適用してもよい。
【図面の簡単な説明】
【００２９】
【図１】本実施形態のセパレート型空気調和機の室内機を示す断面図
【図２】第１の実施形態の風向板の制御ブロック図
【図３】上下風向板の揺動角の変化を示す図であって、（ａ）は揺動角２０°の場合、（ｂ）は揺動角３０°の場合、（ｃ）は揺動角４０°の場合を示す図
【図４】左右風向板の揺動角の変化を示す図であって、（ａ）は揺動角５０°の場合、（ｂ）は揺動角７０°の場合、（ｃ）は揺動角１００°の場合を示す図
【図５】第２の実施形態における風向板の制御ブロック図
【符号の説明】
【００３０】
１    室内機
２    ケーシング
３    前面パネル
４    吸込口
５    吹出口
６    熱交換器
７    室内ファン
８    上下風向板
９    左右風向板
１０  制御部
１１  室温検知手段
１２  吹出温度検知手段
１３  上下風向板駆動部
１４  左右風向板駆動部
１５  湿度検知手段
【図１】
2008215721.tif 000003
【図２】
2008215721.tif 000004
【図３】
2008215721.tif 000005
【図４】
2008215721.tif 000006
【図５】
2008215721.tif 000007